(57)【要約】【課題】  剛性配管との位置関係を正確に保持でき、床の穴あけ位置が可とう性配管の立ち上げ位置とずれるおそれがなく、作業者がけがをするおそれのない可とう性配管の立ち上げ構造を提供する。【解決手段】  剛性配管１６を挿通する第一の穴と可とう性配管１８を挿通する第二の穴とを形成した板状保持部材２０を用いる。この板状保持部材２０の第一の穴に剛性配管の立ち上げ部１６ａを挿通し、第二の穴に可とう性配管の立ち上げ部１８ａを挿通すると共に、板状保持部材２０を床１０の下面に接着層２８により固定する。【選択図】  図１
2006161271.tif 000002
【特許請求の範囲】
【請求項１】
床下に配管された可とう性配管を床上に立ち上げる部分の構造であって、剛性配管を挿通する第一の穴と可とう性配管を挿通する第二の穴とを形成した板状保持部材を用い、この板状保持部材の第一の穴に剛性配管の立ち上げ部を挿通し、第二の穴に可とう性配管の立ち上げ部を挿通すると共に、板状保持部材を床の下面に固定したことを特徴とする可とう性配管の立ち上げ構造。
【請求項２】
板状保持部材は上面に接着層を有しており、この板状保持部材が床の下面に接着により固定されていることを特徴とする請求項１記載の可とう性配管の立ち上げ構造。
【請求項３】
板状保持部材の厚さ方向の一部又は全部が断熱材で構成されていることを特徴とする請求項１又は２記載の可とう性配管の立ち上げ構造。
【請求項４】
板状保持部材の第一の穴及び第二の穴の少なくとも一方に、穴内周面と配管外周面との間の隙間を封じるシーリング部材が設けられていることを特徴とする請求項１ないし３のいずれかに記載の可とう性配管の立ち上げ構造。
【発明の詳細な説明】
【技術分野】
【０００１】
本発明は、建物内の給水・給湯管等として使用される可とう性配管の立ち上げ構造に関するものである。
【背景技術】
【０００２】
給水・給湯用の可とう性配管は一般に建物の床下に配管され、流し台や洗面台等の給水・給湯設備が設置される位置で床上に立ち上げられる。可とう性配管は、それ自体では立ち上げ姿勢を保持できないので、何らかの補助部材により立ち上げ姿勢を保持してやる必要がある。
【０００３】
従来、可とう性配管を床下から床上に立ち上げる手段としては、建物の基礎コンクリートに支持具を固定し、この支持具に可とう性配管の立ち上げ部を支持させる構造のものが公知である（特許文献１参照）。
【０００４】
また床下スラブ（土間コンクリート）上に支持棒を立て、この支持棒に可とう性配管の立ち上げ部を支持させる構造のものも公知である（特許文献２参照）
【０００５】
【特許文献１】特開２０００−８７４０１号公報
【特許文献２】特開２００４−１１６７５９号公報
【発明の開示】
【発明が解決しようとする課題】
【０００６】
給水・給湯用の可とう性配管の立ち上げ部の近くには通常、排水用の配管が立ち上がっている。排水用の配管は、給水・給湯用の可とう性配管よりも太く、剛性を有している（通常塩ビ管が使用される）ので、それ自体で立ち上げ姿勢を保持することが可能である。可とう性配管を立ち上げる場合には、この剛性を有する配管の立ち上げ部との位置関係を設計どおりに正確に保つ必要がある。
【０００７】
しかし前述した従来の可とう性配管の立ち上げ構造は、支持具や支持棒を、剛性配管の立ち上げ部との位置関係を考慮しないで個別に設置するため、可とう性配管を床上の設備に接続する際に、剛性配管との適正な位置関係が維持できず、床上での配管接続が困難になる場合がある。
【０００８】
また、可とう性配管の立ち上げ部では、床を張った後、床に穴をあけて可とう性配管を床上に導出するが、床の穴あけは基準位置からの寸法測定により穴あけ位置を決めるため、測定ミス等により穴の位置が可とう性配管の立ち上げ位置とずれることがある。この場合は、床の穴に合うように可とう性配管を無理に曲げて穴を通すことになるため、可とう性配管を座屈させるおそれがある。
【０００９】
また、支持棒を使用した立ち上げ構造は、床を張る前に、尖った先端を有する支持棒が土間コンクリートから突き出した状態になるため、作業者が転倒した際に突き刺さるおそれがあり、安全性に問題がある。
【００１０】
また、床の下面に断熱材が張り付けられている場合には、床に穴をあける際に、又は床上での配管接続時に配管を動かした際に、断熱材が欠落して、床の断熱性を低下させるおそれがある。
【００１１】
また、可とう性配管及び剛性配管を床上に導出した後は、室内の気密性確保のため、床穴内の配管の周りの隙間にコーキング材を充填しているが、狭いスペースでの作業になるため、コーキング材が十分に充填できす、気密性を確保できない場合が生じる。
【００１２】
本発明の第一の目的は、剛性配管との位置関係を正確に保持でき、床の穴あけ位置が可とう性配管の立ち上げ位置とずれるおそれがなく、しかも作業者がけがをするおそれのない可とう性配管の立ち上げ構造を提供することにある。
【００１３】
本発明の第二の目的は、床の下面に張り付けられている断熱材が穴あけ等により欠落しても断熱性が低下することのない可とう性配管の立ち上げ構造を提供することにある。
【００１４】
本発明の第三の目的は、配管が床を貫通する部分で、床の上下の気密性を容易に確保できる可とう性配管の立ち上げ構造を提供することにある。
【課題を解決するための手段】
【００１５】
本発明は、床下に配管された可とう性配管を床上に立ち上げる部分の構造であって、剛性配管を挿通する第一の穴と可とう性配管を挿通する第二の穴とを形成した板状保持部材を用い、この板状保持部材の第一の穴に剛性配管の立ち上げ部を挿通し、第二の穴に可とう性配管の立ち上げ部を挿通すると共に、板状保持部材を床の下面に固定したことを特徴とするものである。
【００１６】
本発明に用いる板状保持部材は、上面に接着層を有するものとし、この板状保持部材を床の下面に接着により固定することが好ましい。
【００１７】
また本発明に用いる板状保持部材は、厚さ方向の一部又は全部が断熱材で構成されているものであることが好ましい。
【００１８】
また本発明に用いる板状保持部材は、第一の穴及び第二の穴の少なくとも一方に、穴内周面と配管外周面との間の隙間を封じるシーリング部材が設けられているものであることが好ましい
【発明の効果】
【００１９】
本発明によれば、剛性配管を挿通する第一の穴と可とう性配管を挿通する第二の穴とを形成した板状保持部材を用いているので、剛性配管の立ち上げ部と可とう性配管の立ち上げ部との位置関係を正確に保持できると共に、床の穴あけ位置も明確になり、床の穴あけ位置の間違いにより可とう性配管を無理に曲げて座屈させるおそれがなくなる。また板状保持部材が床の下面に固定されるため、板状保持部材がずり落ちたり、回動したりするおそれがなく、可とう性配管の立ち上げ部を正確な位置に確実に保持することができる。さらに土間コンクリートから突出する部材がないので作業者がけがをするおそれもない。
【００２０】
また、板状保持部材の上面に接着層を設けておくことにより、板状保持部材の床下面への固定を簡単に行うことができる。
【００２１】
また、板状保持部材の厚さ方向の一部又は全部を断熱材で構成しておけば、床下面の断熱材が一部欠落した場合でも、板状保持部材の断熱材が欠落部をカバーするので、断熱性を確保することができる。
【００２２】
さらに、板状保持部材の第一の穴及び第二の穴の少なくとも一方に、穴内周面と配管外周面との間の隙間を封じるシーリング部材を設けておくことにより、従来のように配管が床を貫通する部分にコーキング材を充填することなく、床の上下の気密性を確保することができると共に、作業性が向上する。
【発明を実施するための最良の形態】
【００２３】
〔実施形態１〕  図１及び図２は本発明の一実施形態を示す。図において、１０は建物の床、１２は基礎コンクリート、１４は土間コンクリート、１６は塩ビ管等からなる排水用の剛性配管、１８は給水・給湯用の可とう性配管、２０は可とう性配管１８の立ち上げ部１８ａを保持する板状保持部材である。剛性配管１６は、支持金具２２に支持されて土間コンクリート１４上に配管され、所定の位置で垂直に立ち上がっている。剛性配管１６は剛性があるので、それ自体で立ち上げ姿勢を保持することができる。
【００２４】
板状保持部材２０には、図２に示すように、剛性配管１６を挿通する第一の穴２４と、可とう性配管１８を挿通する第二の穴２６とが、所定の位置関係となるように形成されている。また板状保持部材２２の上面には接着層２８が設けられている。
【００２５】
板状保持部材２０の第一の穴２４は剛性配管１６と嵌合する大きさに形成され、この第一の穴２４に剛性配管１６の立ち上げ部１６ａを挿通すると、板状保持部材２０はほぼ水平に保たれるようになっている。板状保持部材２０を水平に保つためには、板状保持部材２０の下面に第一の穴２４と同じ内周面をもつ円筒部３０を突出させておくことが好ましい。ただし板状保持部材２０の板厚を厚くすれば円筒部３０は不要である。板状保持部材２０は床１０を張る前に剛性配管１６の立ち上げ部１６ａに装着される。
【００２６】
可とう性配管１８は、土間コンクリート１４上に配管され、剛性配管の立ち上げ部１６ａの近くで立ち上げられる。可とう性配管１８の立ち上げ部１８ａは、板状保持部材２０の第二の穴２６を通して床上に導出される。床１０には板状保持部材２０の第二の穴２６に合わせて穴が形成されている。板状保持部材２０は、接着層２８によって床１０の下面に固定され、ずり落ちないようになっている。可とう性配管１８の立ち上げ部１８ａは板状保持部材２０の第二の穴２６に挿通することによって、ほぼ垂直に立ち上げられる。剛性配管の立ち上げ部１６ａと可とう性配管の立ち上げ部１８ａとの位置関係は、板状保持部材２０によって設計どおりに保持することができる。
【００２７】
なお、図１では可とう性配管１８を１本だけ示したが、剛性配管の立ち上げ部１６ａの近くには通常、給水用の可とう性配管と給湯用の可とう性配管が立ち上がる。このため、板状保持部材２０には可とう性配管を通す第二の穴２６が二つ形成されている。
【００２８】
〔実施形態２〕  図３及び図４は本発明の他の実施形態を示す。この実施形態は、床１０の下面に断熱材３２が張り付けられている場合に適用される。床１０の下面に断熱材３２が張り付けられている場合には、床１０に穴をあける際などに、穴の周りで断熱材が欠落して、断熱性が低下するおそれがある。そこでこの実施形態では、剛性のある板材３４の上に断熱材３６を積層一体化してなる板状保持部材２０を使用したものである。このような板状保持部材２０を接着層２８により床１０側の断熱材３２の下面に接着固定すれば、床１０側の断熱材３２が多少欠落しても、板状保持部材２０側の断熱材３２で断熱性を確保することができる。
【００２９】
なお、板状保持部材２０の断熱材３６としては発泡ポリエチレン等を使用することが好ましいが、剛性のある断熱材を使用すれば板状保持部材２０全体を断熱材で構成することもできる。
【００３０】
上記以外の構成は実施形態１と同じであるので、同一部分には同一符号を付して説明を省略する。
【００３１】
〔実施形態３〕  図５及び図６は本発明のさらに他の実施形態を示す。この実施形態が実施形態１と異なる点は、板状保持部材２０として、第二の穴２６の内周面にゴムパッキング３８を装着したものを使用したことである。このような板状保持部材２０を使用すると、第二の穴２６に可とう性配管１８を挿通したときに、ゴムパッキング３８が可とう性配管１８の外周面に密接するため、従来のようにコーキング材を使用することなく、床１０の上下の気密性を確保することができる。
【００３２】
上記以外の構成は実施形態１と同じであるので、同一部分には同一符号を付して説明を省略する。なお、この実施形態は実施形態２と組み合わせて実施することもできる。
【００３３】
〔実施形態４〕  図７及び図８は本発明のさらに他の実施形態を示す。この実施形態が実施形態１と異なる点は、板状保持部材２０として、第二の穴２６の内周面にゴムパッキング３８を装着すると共に、第一の穴２４にもゴムパッキング４０を装着したものを使用したことである。このような板状保持部材２０を使用すると、ゴムパッキング３８が可とう性配管１８の外周面に密接し、ゴムパッキング４０が剛性配管１６の外周面に密接するため実施形態３よりもさらに床１０の上下の気密性を高めることができる。なお、ゴムパッキングは第一の穴２４だけに設けてもよい。
【００３４】
上記以外の構成は実施形態１と同じであるので、同一部分には同一符号を付して説明を省略する。なお、この実施形態は実施形態２と組み合わせて実施することもできる。
【００３５】
〔実施形態５〕  図９は本発明のさらに他の実施形態を示す。この実施形態は、板状保持部材２０に、第一の穴２４だけを形成すると共に、第一の穴２４からの左右方向距離及び前後方向距離を示す目盛４２を付けたものである。
このような板状保持部材２０を使用すると、剛性配管の立ち上げ位置に対する可とう性配管の立ち上げ位置が変わっても、現場において可とう性配管の立ち上げ位置に合わせて第二の穴をあけて可とう性配管を立ち上げることができると共に、目盛４２が付けられているため第二の穴をあける位置を容易に正確に確定することができる。
【図面の簡単な説明】
【００３６】
【図１】本発明に係る可とう性配管の立ち上げ構造の一実施形態を示す断面図。
【図２】図１の立ち上げ構造に使用した板状保持部材を示す（Ａ）は平面図、（Ｂ）は（Ａ）のＢ−Ｂ線断面図。
【図３】本発明に係る可とう性配管の立ち上げ構造の他の実施形態を示す断面図。
【図４】図３の立ち上げ構造に使用した板状保持部材を示す（Ａ）は平面図、（Ｂ）は（Ａ）のＢ−Ｂ線断面図。
【図５】本発明に係る可とう性配管の立ち上げ構造のさらに他の実施形態を示す断面図。
【図６】図５の立ち上げ構造に使用した板状保持部材を示す断面図。
【図７】本発明に係る可とう性配管の立ち上げ構造のさらに他の実施形態を示す断面図。
【図８】図７の立ち上げ構造に使用した板状保持部材を示す断面図。
【図９】本発明に使用する板状保持部材のさらに他の実施形態を示す（Ａ）は平面図、（Ｂ）は正面図。
【符号の説明】
【００３７】
１０：床
１２：基礎コンクリート
１４：土間コンクリート
１６：剛性配管
１８：可とう性配管
２０：板状保持部材
２４：第一の穴
２６：第二の穴
２８：接着層
３２：断熱材
３４：剛性のある板材
３６：断熱材
３８、４０：ゴムパッキング
【図１】
2006161271.tif 000003
【図２】
2006161271.tif 000004
【図３】
2006161271.tif 000005
【図４】
2006161271.tif 000006
【図５】
2006161271.tif 000007
【図６】
2006161271.tif 000008
【図７】
2006161271.tif 000009
【図８】
2006161271.tif 000010
【図９】
2006161271.tif 000011